(57)【要約】【課題】複数の音声ストリームや字幕ストリームが記録されているＤＶＤなどを再生する際に音声や字幕等を自動的または簡潔な操作により切替えを行う。【解決手段】映像ストリームと音声ストリームと字幕ストリームの組合せである再生パターンのうち過去に再生された再生パターンをフラッシュメモリ１２に記憶しておき、マイクロコントローラ１０はフラッシュメモリ１２に記憶された再生パターンとは異なる再生パターンを選択して音声／映像／字幕処理部７に再生させる。【選択図】図１
2007083614.tif 000002
【特許請求の範囲】
【請求項１】
複数のストリームが記録された記録媒体と、前記複数のストリームを組み合わせた再生パターンで前記記録媒体を再生する再生手段とを備えた記録媒体再生装置において、
前記再生手段によって再生された前記再生パターンを記憶する記憶手段と、前記記憶手段に記憶された前記再生パターンとは異なる前記再生パターンで前記再生手段に前記記録媒体を再生させる制御手段とを備えたことを特徴とする記録媒体再生装置。
【請求項２】
前記記録媒体は、前記ストリームとして、映像ストリームおよび、音声ストリームと字幕ストリームのうち少なくとも２種類以上が記録されており、前記２種類以上のうち少なくとも１種類は複数記録されていることを特徴とする請求項１記載の記録媒体再生装置。
【請求項３】
前記制御手段は、前記記憶手段に再生済みと記憶されている前記複数のストリームの組合せとは異なる前記ストリームの組合せを再生パターンとして再生手段に再生させることを特徴とする請求項１または２記載の記録媒体再生装置。
【請求項４】
前記制御手段は、前記記憶手段に再生済みと記憶されている前記ストリーム以外の前記ストリームの組合せを再生パターンとして再生手段に再生させることを特徴とする請求項１または２記載の記録媒体再生装置。
【請求項５】
複数のストリームが記録された記録媒体と、前記複数のストリームを組み合わせた再生パターンで前記記録媒体を再生する記録媒体再生方法において、
再生された前記再生パターンを記憶して、記憶された前記再生パターンとは異なる前記再生パターンで前記記録媒体を再生することを特徴とする記録媒体再生方法。
【発明の詳細な説明】
【技術分野】
【０００１】
本発明は、映像ストリーム、音声ストリーム、字幕ストリームなどが記録された光ディスクなどの記録媒体を再生する再生装置および再生方法に関する。
【背景技術】
【０００２】
ＤＶＤ（Digital Versatile Disc）などの記録媒体には、映画などのコンテンツがデジタル信号に変換され映像ストリームや音声ストリームや字幕ストリームなどとして記録されている。そしてＤＶＤの再生装置では、予めディスクまたは機器に設定された情報に従って映像ストリームと映像ストリームに対応した音声ストリームと字幕ストリームなどが同期して再生されている。
【発明の開示】
【発明が解決しようとする課題】
【０００３】
例えば、映画などのコンテンツで、音声ストリーム、字幕ストリームそれぞれに日本語と英語の両方が存在した場合に、ユーザがメニューなどを表示させて切替え操作を行わない限りは予め設定された音声や字幕で再生され続ける。そのため、視聴回数を重ねるうちに新鮮味に欠けユーザが飽きてしまう。【０００４】
そこで、本発明は、例えば複数の音声ストリームや字幕ストリームが記録されているＤＶＤなどの記録媒体を再生する際に、音声や字幕等を自動的または簡潔な操作で切替えが行える記録媒体再生装置および再生方法を提供することを課題とする。
【課題を解決するための手段】
【０００５】
上記課題を解決するために、請求項１に記載の発明は、複数のストリームが記録された記録媒体と、前記複数のストリームを組み合わせた再生パターンで前記記録媒体を再生する再生手段とを備えた記録媒体再生装置において、前記再生手段によって再生された前記再生パターンを記憶する記憶手段と、前記記憶手段に記憶された前記再生パターンとは異なる前記再生パターンで前記再生手段に前記記録媒体を再生させる制御手段とを備えたことを備えたことを特徴としている。【０００６】
請求項５記載の発明は、複数のストリームが記録された記録媒体と、前記複数のストリームを組み合わせた再生パターンで前記記録媒体を再生する記録媒体再生方法において、再生された前記再生パターンを記憶して、記憶された前記再生パターンとは異なる前記再生パターンで前記記録媒体を再生することを特徴としている。
【図面の簡単な説明】
【０００７】
【図１】本発明の第１の実施例、第２の実施例にかかるＤＶＤプレーヤのブロック図である。
【図２】ＤＶＤに記録されるデータ構造の説明図である。
【図３】図１に示されたＤＶＤプレーヤの第１の実施例における再生パターンを切替える際の動作を示したフローチャートである。
【図４】図１に示されたＤＶＤプレーヤの第２の実施例における再生パターンを切替える際の動作を示したフローチャートである。
【符号の説明】
【０００８】
１        ＤＶＤプレーヤ（記録媒体再生装置）
７        音声／映像／字幕処理部（再生手段）
１０      マイクロコントローラ（制御手段）
１２      フラッシュメモリ（記憶手段）
１３      ＤＶＤ（記録媒体）
Ｓ５      再生履歴とは異なる組合せで再生（再生手段）
Ｓ８      再生履歴更新（記憶手段）
Ｓ１１    再生履歴更新（記憶手段）
Ｓ５´    再生されてないストリームによる組合せで再生（再生手段）
【発明を実施するための最良の形態】
【０００９】
以下、本発明の一実施形態にかかる記録媒体再生装置を説明する。本発明の一実施形態にかかる記録媒体再生装置は、制御手段が、再生された再生パターンを記録手段に記録して、記録された再生パターンと異なる再生パターンで記録媒体を再生手段に再生させている。このようにすることにより、一度再生した再生パターンとは異なる再生パターンにより再生されるので繰り返し再生してもユーザが違った楽しみ方で視聴できる。【００１０】
また、前記ストリームとして映像ストリームおよび、音声ストリームと字幕ストリームのうち少なくとも２種類以上が記録されており、前記２種類以上のうち少なくとも１種類は複数記録されていてもよい。このようにすることにより、再生パターンが複数となるので、一度再生された再生パターンと異なる再生パターンで再生することができる。【００１１】
また、制御手段は記憶手段に再生済みと記憶されているストリームの組合せと異なる組合せを再生パターンとして再生手段に再生させてもよい。このようにすることにより、一度再生したストリームの組合せとは異なる再生パターンにより再生されるので繰り返し再生してもユーザが違った楽しみ方で視聴できる。【００１２】
また、制御手段は記憶手段に再生済みと記憶されているストリーム以外のストリームの組合せを再生パターンとして再生手段に再生させてもよい。このようにすることにより、一度も再生していないストリームを優先的に再生するので記録媒体の全ての内容を早く視聴することができる。【００１３】
また、本発明の一実施形態にかかる記録媒体再生方法は、再生された再生パターンを記憶して、記憶された再生パターンとは異なる再生パターンで記録媒体を再生する。このようにすることにより、一度再生したのとは異なる再生パターンにより再生されるので繰り返し再生してもユーザが違った楽しみ方で視聴できる。
【実施例１】
【００１４】
本発明の第１の実施例にかかる記録媒体再生装置としてのＤＶＤプレーヤ１を図１ないし図３を参照して説明する。ＤＶＤプレーヤ１は、記録媒体としてＤＶＤとＣＤ（Compact Disc）が再生可能な装置であり、図１に示すようにディスクモータ２と、光ピックアップ３と、ＲＦアンプ４と、サーボ信号処理部５と、ドライバ６と、音声／映像／字幕信号処理部７と、ＤＡコンバータ８と、音声信号／映像信号出力端子９と、マイクロコントローラ１０と操作部１１とフラッシュメモリ１２とを備えている。【００１５】
ディスクモータ２は、ＤＶＤプレーヤ１にセットされたＤＶＤ１３を回転させるためのモータであり、スピンドルモータなどで構成されている。【００１６】
光ピックアップ３は、ＤＶＤ１３に照射する光を発生させる図示しないＤＶＤ用の波長のレーザダイオードとＣＤ用の波長のレーザダイオードや、ＤＶＤ１３上にレーザダイオードからのレーザ光を照射するための対物レンズ、サーボ信号処理部５からの指示によりフォーカスやトラッキングを合わせるために対物レンズを駆動するアクチュエータおよびＤＶＤ１３から反射された反射光を受ける受光器とを備え、受光器は受光した反射光を光電変換する。光電変換された電気信号は光ピックアップ３内でＤＶＤ１３から読み出した映像ストリームや音声ストリームや字幕ストリームを含むＲＦ信号や光ピックアップ３のフォーカスやトラッキングをサーボ制御するための信号等となり出力される。【００１７】
ＲＦアンプ４は、光ピックアップ３から出力される信号を所定の値に増幅し、サーボ信号処理部５へ出力する。【００１８】
サーボ信号処理部５は、ＤＶＤ１３からの反射光から得られＲＦアンプ４経由で入力されたフォーカスやトラッキングをサーボ制御するための信号から、光ピックアップ３を駆動させてフォーカスおよびトラッキングの制御などを行い、ＤＶＤ１３に記録された情報を正確に読めるようにする。さらに、ＤＶＤ１３に記録された映像ストリームや音声ストリームや字幕ストリームを含むＲＦ信号をアナログ／デジタル変換して音声／映像／字幕信号処理部７へ出力する。【００１９】
ドライバ６は、サーボ信号処理部５から入力された信号を増幅し、ディスクモータ２および光ピックアップ３へ出力する。【００２０】
再生手段としての音声／映像／字幕信号処理部７は、サーボ信号処理部５から入力された音声ストリーム、映像ストリームおよび字幕ストリームをエラー訂正などを行った後、映像または音声または字幕信号に復号し、映像信号と字幕信号は合成してＤＡコンバータ８へ出力する。【００２１】
ＤＡコンバータ８は、音声／映像／字幕信号処理部７から入力されたデジタル信号をアナログ信号に変換し音声出力端子９ａおよび映像出力端子９ｂから出力する。【００２２】
制御手段としてのマイクロコントローラ１０は、ＣＰＵ（Central Processing Unit）と、ＲＡＭ（Random Access Memory）と、ＲＯＭ（Read Only Memory）を内蔵し、ディスクの挿入や排出、再生や停止などの各操作におけるＤＶＤプレーヤ１全体の制御および再生するディスクの再生パターンの決定などを行う。【００２３】
操作部１１は、ＤＶＤプレーヤ１の再生、停止などを操作するためのボタンと、再生パターンをワンタッチで切替え操作可能とするボタンおよび動作状態を表示するための表示素子などを備えている。【００２４】
記憶手段としてのフラッシュメモリ１２は、不揮発性の記憶素子であり、ＤＶＤ１３のタイトルやタイトルごとの再生パターンの再生履歴などが記憶される。【００２５】
次に、ＤＶＤ１３に記録されるデータの構造について、図２を参照して説明する。図２は１つの映像と、３つの音声および２つの字幕のストリームが記録されている。まず、ＤＶＤ１３は図２（ａ）に示すように、リードイン領域、ボリューム領域、リードアウト領域から構成され、リードイン領域はＤＶＤを示す情報やＤＶＤの種類（ＤＶＤ−ＲＯＭ，ＤＶＤ−Ｒ，ＤＶＤ−ＲＷ，ＤＶＤ−ＲＡＭなど）を示す情報などが記録されている。ボリューム領域は映画などのコンテンツが記録される領域である。リードアウト情報は記録領域の終端を示す情報が記録されている。【００２６】
ボリューム領域は、図２（ｂ）に示すようにボリューム管理領域とファイル領域から構成される。ボリューム管理領域はＵＤＦ（Universal Disk Format）のファイルシステムに従った管理情報が記録されている。ファイル領域は映画などのコンテンツおよびコンテンツの管理情報などが記録される。【００２７】
ファイル領域は、図２（ｃ）に示すようにビデオマネージャ（ＶＭＧ）とビデオタイトルセット（ＶＴＳ）から構成される。ＶＭＧはディスク全体のＶＴＳを管理するための情報が記録されており、ディスクをＤＶＤプレーヤ１で再生開始した直後または再生中にユーザが呼び出すことで表示されるシステムメニューや、ＶＴＳの再生順および、タイトル情報や複数の音声ストリームやサブピクチャストリームの情報などが記録されている。サブピクチャとは字幕やメニュー、カラオケの歌詞表示など映像に重ねる情報であり、本実施例では字幕の情報とする。ＶＴＳは１〜９９までの任意の数に分割することができ、映像や音声および字幕のストリームや各ＶＴＳ毎の制御情報などが記録される。【００２８】
ＶＴＳは、図２（ｄ）に示すようにＶＴＳ管理情報とビデオオブジェクト（ＶＯＢ）から構成される。ＶＴＳ管理情報は複数のＶＯＢの再生制御を行うための情報が記録されている。ＶＯＢは映像や音声および字幕のストリームなどが記録される。【００２９】
ＶＯＢは、図２（ｅ）に示すように複数のＶＯＢユニット（ＶＯＢＵ）で構成され、ＶＯＢＵは、管理パックと映像（Video）、音声（Audio）、字幕（SP）のストリームから構成される。管理パックはＶＯＢＵ毎のデータの管理情報が記録されている。VideoはＧＯＰ（Group Of Picture）と呼ばれる所定時間単位分の映像ストリームが記録されている。Audio1〜3とSP1〜2はＧＯＰ時間分に再生されるべき音声ストリームと字幕ストリームが記録されており、本実施例ではAudio1が日本語音声ストリーム、Audio2が英語音声ストリーム、Audio3が制作スタッフによる解説音声ストリーム、SP1が日本語字幕ストリーム、SP2が英語字幕ストリームとなっている。すなわち、このような構造で映像ストリームおよび、音声ストリームと字幕ストリームのうち少なくとも２種類以上を記録し、２種類以上のうち少なくとも１種類を複数記録している。【００３０】
次に、図１に示すような構成からなるＤＶＤプレーヤ１において、図２のような構成からなるＤＶＤ１３の再生パターンを切替える際の動作を図３に示すフローチャートを参照して説明する。図３に示したフローチャートは、マイクロコントローラ１０のＲＯＭに記憶されている制御プログラムをマイクロコントローラ１０のＣＰＵが実行することで実現される。【００３１】
本実施例において再生パターンとは図２の映像ストリームと日本語音声のストリーム、英語音声のストリーム、制作スタッフによる解説音声のストリーム、日本語字幕のストリーム、英語字幕のストリームのうち、例えば映像ストリームと英語音声ストリームと日本語字幕ストリームの組み合わせを指す。【００３２】
まず、ステップＳ１において、ＤＶＤ１３にレーザ光を照射し光ピックアップ３、ＲＦアンプ４、サーボ信号処理部５、音声／映像／字幕処理部７経由でＤＶＤ１３のＶＭＧ領域をマイクロコントローラ１０のＲＡＭへ読み込み、タイトルと映像ストリーム、音声ストリーム、字幕ストリームの数を取得して、ステップＳ２に進む。【００３３】
次に、ステップＳ２において、ユーザが操作部１１から再生開始の操作を行ったか否かを判断する。再生開始の操作を行うと操作部１１からマイクロコントローラ１０に対して再生開始の信号が入力されるのでその信号の有無で判断を行う。再生開始の場合（ＹＥＳの場合）はステップＳ３に進み、開始ではない場合（ＮＯの場合）は再度判断を行う。【００３４】
次に、ステップＳ３において、ステップＳ１で読み込んだタイトルが以前再生したことがあるか否か判断する。具体的にはＲＡＭに読み込んだタイトルとフラッシュメモリ１２に記録されているタイトルに一致するものがあるか否かを判断する。一致するものがある場合、すなわち過去に再生したことのあるディスクである場合（ＹＥＳの場合）はステップＳ４へ進み、一致するものが無い場合、すなわち過去に再生したことの無いディスクである場合（ＮＯの場合）はステップＳ１０へ進む。【００３５】
次に、ステップＳ４において、過去に再生したことのあるディスクであると判断し、フラッシュメモリ１２から当該ディスクの再生履歴をマイクロコントローラ１０のＲＡＭへ読み込みステップＳ５へ進む。【００３６】
次に、再生手段としてのステップＳ５において、読み込んだ再生履歴を参照して、再生履歴に無い映像、音声、字幕の組合せの再生パターンを選択して音声／映像／字幕処理部７へ指示し再生を開始させステップＳ６へ進む。例えば再生パターンとして映像ストリームと日本語音声ストリームと英語字幕の組合せが選択された場合は、図２（ｅ）における各ＶＯＢＵのVideoとAudio1とSP2を選択して再生するように音声／映像／字幕処理部７へ指示する。すなわち、再生済みと記録されている組合せとは異なる組合せの再生パターンを再生させる。【００３７】
選択方法は例えば、映像、音声、字幕の各ストリームの全組合せのテーブルをＲＡＭ上に作成し、そのテーブルからランダムに選択して、再生履歴と比較して再生履歴に無いパターンであればそのパターンを再生し、再生履歴にあるパターンであれば別のパターンをまた選択し直す。あるいは、全ての組合せのテーブルから再生履歴にあるパターンを先に削除しておき、その中からランダムに選択することでもよい。また、ランダムではなくテーブルの先頭または任意のところから順に選択しても良い。また、組合せテーブルを作成せずにランダムあるいは順に音声ストリームと字幕ストリームを選択して、選択された組合せが再生履歴に無ければそのパターンを再生するようにしてもよい。【００３８】
再生が開始されると、ＤＶＤ１３から光ピックアップ３で反射光として読み出されたストリームが電気信号に変換され、ＲＦアンプ４で所定の値に増幅され、サーボ信号処理部５でアナログ／デジタル変換され、音声／映像／字幕処理部７で、音声、映像、字幕の各ストリームに分離され復号される。そして、再生パターンに応じた音声、映像、字幕のストリームが選択的に再生され、映像と字幕は合成し、音声はそのままＤＡコンバータ８へ入力される。ＤＡコンバータ８では音声および字幕が合成された映像信号をデジタル／アナログ変換し、それぞれ音声出力端子９ａ、映像出力端子９ｂから出力する。【００３９】
次に、ステップＳ６において、操作部１１から再生パターン切替え操作が行われたか否かを判断する。再生パターン切替えの操作を行うと操作部１１からマイクロコントローラ１０に対して再生パターン切替えの信号が入力されるのでその信号の有無で判断を行う。再生パターン切替えの場合（ＹＥＳの場合）はステップＳ１１に進み、切替えではない場合（ＮＯの場合）はステップＳ７へ進む。【００４０】
次に、ステップＳ７において、ディスクの最後まで再生したか、あるいは操作部１１から停止操作が行われたかで再生終了となったか否かの判断を行う。再生終了となった場合（ＹＥＳの場合）はステップＳ８に進み、再生終了となっていない場合（ＮＯの場合）はステップＳ６に戻る。【００４１】
次に、記憶手段としてのステップＳ８において、再生した再生パターンを再生履歴に追加してマイクロコントローラ１０のＲＡＭに記憶するとともに、フラッシュメモリ１２の当該ディスクの履歴も更新しステップＳ９へ進む。【００４２】
次に、ステップＳ９において、操作部１１から再生停止操作が行われたか否かを判断する。再生停止の操作を行うと操作部１１からマイクロコントローラ１０に対して再生停止の信号が入力されるのでその信号の有無で判断を行う。再生停止の場合（ＹＥＳの場合）は終了し、再生停止ではない場合（ＮＯの場合）はステップＳ５へ戻る。【００４３】
ステップＳ１０においては、再生したことの無いディスクであると判断し、そのディスクまたはＤＶＤプレーヤ１のデフォルトに設定された再生パターンで再生を行い、ステップＳ６へ進む。【００４４】
記憶手段としてのステップＳ１１においては、再生パターン切替え操作が行われたと判断し、再生した再生パターンを再生履歴に追加してマイクロコントローラ１０のＲＡＭに記憶するとともに、フラッシュメモリ１２の当該ディスクの履歴も更新しステップＳ５へ戻る。【００４５】
本実施例によれば、例えば映像が１つで音声や字幕が複数あり、それぞれ映像に対して音声や字幕の組合せが複数あるような場合に過去の再生パターンの履歴をフラッシュメモリ１２に記憶させ、最後まで再生するかワンタッチ操作を行うかにより、自動または簡潔な操作でフラッシュメモリ１２に記憶されていない別の組合せで再生を行えるので、繰り返し再生してもユーザが違った楽しみ方で視聴できる。
【実施例２】
【００４６】
次に、第２の実施例にかかる記録媒体再生装置としてのＤＶＤプレーヤ１を図４を参照して説明する。なお、前述した第１の実施例と同一部分には、同一符号を付して説明を省略する。【００４７】
本実施例は、構成は第１の実施例と同様であるが、再生パターンを切替える際の動作が一部異なる。再生パターンを切替える際の動作を図４に示す。すなわち、フラッシュメモリ１２から再生履歴を読み出した（ステップＳ４）あとに、全てのストリームが再生済みであるか否か判断し（ステップＳ２０）、再生済みでない場合は再生していないストリームによる組合せで再生を行う（ステップＳ５´）。【００４８】
ステップＳ２０は、ＤＶＤ１３に記録されている日本語音声ストリーム、英語音声ストリーム、制作スタッフによる解説音声ストリーム、日本語字幕ストリーム、英語字幕ストリームが全て１回以上再生されているか否か判断する。再生されている場合（ＹＥＳの場合）はステップＳ５に進み、再生されていない場合（ＮＯの場合）はステップＳ５´に進む。なお、本実施例では映像ストリームは１つしか記録されていないため、本ステップでの判断の対象からは外している。【００４９】
再生手段としてのステップＳ５´は再生履歴を確認して、音声ストリームと字幕ストリームのうち再生されていないストリームを選択して、映像ストリームと組み合わせて再生する。例えば映像ストリームと日本語音声ストリームと英語字幕ストリームが再生済みだった場合は、音声は英語音声ストリームか制作スタッフの解説音声ストリームのいずれかが再生され、字幕は日本語字幕ストリームが再生される。すなわち、再生済みと記録されているストリーム以外のストリームによる組合せの再生パターンを再生させる。【００５０】
本実施例によれば、例えば映像が１つで音声や字幕が複数あり、それぞれ映像に対して音声や字幕の組合せが複数あるような場合に過去の再生パターンの履歴をフラッシュメモリ１２に記憶させ、最後まで再生するかワンタッチ操作を行うかにより、自動または簡潔な操作でフラッシュメモリ１２に記憶されていない別の組合せで再生を行えるので、繰り返し再生してもユーザが違った楽しみ方で視聴できる。また、優先的に再生していないストリームを再生するのでディスクに記録されている全ての内容を早く視聴することができる。【００５１】
なお、上述した実施例においては、再生パターンは再生されていないパターンを選択するのみであったが、例えば日本語音声に日本語字幕などあまり意味をなさないパターンは予め再生パターンからは除外するようにして、残った再生パターンから選択するようにしても良い。【００５２】
また、上述した実施例においては、再生パターンとして映像ストリームと音声ストリームと字幕ストリームの３種類が記録されているＤＶＤについて説明したが、それに限らず、４種類以上でもよいし、音声ストリームと字幕ストリームのいずれか一方と映像ストリームの２種類が記録されたＤＶＤに適用してもよい。さらに、３種類のストリームが記録されているＤＶＤにおいて、音声ストリームと字幕ストリームのいずれか一方を再生しないというパターンの組合せを再生パターンに含めてもよい。【００５３】
また、上述した実施例では映像ストリームは１種類だったが、１種類に限らずマルチアングルなどで複数の映像ストリームがある場合にも適用できる。【００５４】
また、上述した実施例では映像ストリームは動画であったが、静止画であってもよい。【００５５】
また、上述した実施例では、ＤＶＤについて説明したが、ブルーレイディスクやＨＤ−ＤＶＤおよびハードディスクなど、複数の映像、音声、字幕などのストリームを切替えて再生するようなコンテンツを記録可能なメディアの再生装置に適用可能である。【００５６】
前述した実施例によれば、以下の記録媒体再生装置および再生方法が得られる。【００５７】
（付記１）複数のストリームが記録されたＤＶＤ１３と、前記複数のストリームを組み合わせた再生パターンでＤＶＤ１３を再生する音声／映像／字幕処理部７とを備えたＤＶＤプレーヤ１において、音声／映像／字幕処理部７によって再生された前記再生パターンを記憶するフラッシュメモリ１２と、フラッシュメモリ１２に記憶された前記再生パターンとは異なる前記再生パターンで音声／映像／字幕処理部７にＤＶＤ１３を再生させるマイクロコントローラ１０とを備えたことを特徴とするＤＶＤプレーヤ１。【００５８】
このＤＶＤプレーヤ１によれば、一度再生した再生パターンとは異なる再生パターンにより再生されるので繰り返し再生してもユーザが違った楽しみ方で視聴できる。【００５９】
（付記２）複数のストリームが記録されたＤＶＤ１３と、前記複数のストリームを組み合わせた再生パターンでＤＶＤ１３を再生するＤＶＤ再生方法において、再生された前記再生パターンを記憶して、記憶された前記再生パターンとは異なる前記再生パターンでＤＶＤ１３を再生することを特徴とするＤＶＤ再生方法。【００６０】
このＤＶＤ再生方法によれば、一度再生した再生パターンとは異なる再生パターンにより再生されるので繰り返し再生してもユーザが違った楽しみ方で視聴できる。【００６１】
なお、前述した実施例は本発明の代表的な形態を示したに過ぎず、本発明は、実施例に限定されるものではない。すなわち、本発明の骨子を逸脱しない範囲で種々変形して実施することができる。
【図１】
2007083614.tif 000003
【図２】
2007083614.tif 000004
【図３】
2007083614.tif 000005
【図４】
2007083614.tif 000006
【国際調査報告】
2007083614.tif 000007
2007083614.tif 000008